(57)【要約】【課題】コネクタハウジング内を複数のフラットケーブル接続端子を相互間に間隔をあけて並設できる端子収容室にしても、隣接するフラットケーブル接続端子間にリーク電流が流れるのを回避する。【解決手段】コネクタハウジング１０内に複数のフラットケーブル接続端子４を相互間に間隔をあけて並設できる端子収容室２３を設ける。コネクタハウジング１０の内面に、端子収容室２３内に挿入するフラットケーブル３の隣接するフラット導体１の間のフラット絶縁被覆２の部分に対向するようにしてフラット導体１の長手方向に沿わせる向きでハウジング隔壁２４を突設する。コネクタハウジング１０内には、リテーナ１５を挿入してコネクタハウジング１０に係止する。リテーナ１５には、ハウジング隔壁２４に対向する側の面に、ハウジング隔壁２４に沿ってリテーナ隔壁２７を突設する。【選択図】　図１
2004055344.tif 000002
【特許請求の範囲】
【請求項１】
コネクタハウジング内に複数のフラットケーブル接続端子を相互間に間隔をあけて並設できる端子収容室が形成され、
前記コネクタハウジングの内面にハウジング隔壁が前記端子収容室に対する出入り方向に沿って突設され、
前記コネクタハウジング内にリテーナが挿入されて該コネクタハウジングに係止され、
前記リテーナには前記ハウジング隔壁に対向する側の面に、前記ハウジング隔壁に沿ってリテーナ隔壁が突設されていることを特徴とするフラットケーブル用リテーナ付きコネクタハウジング。
【請求項２】
相互間に間隔をあけて並設されたフラット導体がフラット絶縁被覆で一括被覆されてなるフラットケーブルの端部側に、前記各フラット導体の位置でこれらフラット導体に個々にフラットケーブル接続端子が接続部で導通接続され、これらフラットケーブル接続端子がコネクタハウジング内にその後部挿入口から収容されて係止手段で係止され、前記コネクタハウジング内にはその後部挿入口からリテーナが挿入されて該コネクタハウジングに係止されている構造のコネクタ付きフラットケーブルにおいて、
前記コネクタハウジング内に複数の前記フラットケーブル接続端子を相互間に間隔をあけて並設できる端子収容室が形成され、
前記端子収容室内には前記各フラットケーブル接続端子とその接続部が収容され、
前記コネクタハウジングの内面には、対向して存在している前記フラットケーブルの隣接する前記フラット導体の間で該フラット導体の長手方向に沿ってハウジング隔壁が突設され、
前記コネクタハウジング内の前記リテーナには前記ハウジング隔壁に対向する側の面に、対向して存在している前記フラットケーブルの隣接する前記フラット導体の間で該フラット導体の長手方向に沿ってリテーナ隔壁が突設され、
前記コネクタハウジング内に存在する前記フラットケーブルの隣接する前記フラット導体の間の前記フラット絶縁被覆の部分の両面には前記ハウジング隔壁の先端と前記リテーナ隔壁の先端とが接触されていることを特徴とするコネクタ付きフラットケーブル。
【発明の詳細な説明】
【０００１】
【発明の属する技術分野】
本発明は、フラットケーブル用リテーナ付きコネクタハウジング及びこれを用いたコネクタ付きフラットケーブルに関するものである。
【０００２】
【従来の技術】
電気機器や自動車等の電気配線に、図６に示すように、フラット導体１がフラット絶縁被覆２で被覆されてなるフラットケーブル３が用いられるようになってきている。このフラットケーブル３のフラット導体１には、通常、フラットケーブル接続端子４が接続されて使用されている。このフラットケーブル接続端子４は、雌形の嵌め合わせ接続体５に長方形の接続板部６が連接され、この接続板部６の幅方向の両側に複数のクリンプ片７が突設された構造になっている。このフラットケーブル接続端子４のフラットケーブル３のフラット導体１に対する接続は、図７に示すように、フラットケーブル３の端部側のフラット導体１の位置で各クリンプ片７を突き刺してフラット導体１に導通接続し、フラットケーブル３を突き抜けた各クリンプ片７を円弧状に曲成して加締めて接続部８を構成することにより行っている。
【０００３】
通常、フラットケーブル３は、図７に示すように、相互間に間隔をあけて並設されたフラット導体１がフラット絶縁被覆２で一括被覆された構造になっている。このようなフラットケーブル３の各フラット導体１には、図示のようにフラットケーブル接続端子４が前述したように接続されており、隣接する接続部８の間のフラット絶縁被覆２はトリミングスリット９で切り離されている。
【０００４】
このようなフラットケーブル接続端子４を備えたフラットケーブル３は、他の機器等との接続のために、図８に示すように、コネクタハウジング１０内の端子収容室１１内にその後部挿入口１２からフラットケーブル接続端子４と接続部８とが収容され、コネクタハウジング１０内の段部よりなる係止手段１３で係止されている。
【０００５】
コネクタハウジング１０内の端子収容室１１は、通常、図７に示すように、仕切り壁１４で個々に仕切られていて、これら独立した端子収容室１１にフラットケーブル接続端子４が個々に配置されている。フラットケーブル３は、隣接するフラット導体１の間でフラット絶縁被覆２に設けられているトリミングスリット９に仕切り壁１４が入り込むようになっている。
【０００６】
コネクタハウジング１０内には、フラットケーブル接続端子４と接続部８との挿入後に、リテーナ１５が挿入され、該リテーナ１５のケーブル押え部１６でフラットケーブル３がコネクタハウジング１０に押圧され、外部のフラットケーブル３に作用する引張り力が接続部８に作用しないようになっている。リテーナ１５にはスリット１７が設けられていて、このスリット１７にフラットケーブル３を通すことにより、リテーナ１５を支障なくコネクタハウジング１０内に挿入できるようになっている。また、リテーナ１５には係止片１８が設けられていて、コネクタハウジング１０の係止突起１９に係止されて抜止めされている。
【０００７】
一方、後部挿入口１２とは反対側のコネクタハウジング１０の正面には、相手端子挿入口２０が開口されている。さらに、この側でコネクタハウジング１０の外面には、図示しない相手コネクタハウジングに嵌め合わせ接続した際に、その結合状態が外れないようにする嵌合係止アーム２１が片持ち支持で後ろ向きに曲げて突設され、この嵌合係止アーム２１には図示しない相手コネクタハウジングに係止させる係止突起２２が突設されている。
【０００８】
しかしながら、このような構造の従来のコネクタ付きフラットケーブルでは、フラットケーブル３には隣接するフラットケーブル接続端子４の接続部８の間の部分に、コネクタハウジング１０の仕切り壁１４を避けるようにトリミングスリット９を設けなければならず、このためトリミングスリット９の箇所で隣接するフラット導体１のフラット絶縁被覆２による絶縁が狭くなり、コネクタハウジング１０の外部でフラットケーブル３に作用する横方向の引張りに対して機械的に弱くなる問題点があった。
【０００９】
また、フラットケーブル３の押えを行うリテーナ１５にも、その挿入時にフラットケーブル３を逃がすスリット１７を設けなければならず、構造が複雑化する問題点があった。
【００１０】
このためコネクタハウジング１０の仕切り壁１４をなくし、コネクタハウジング１０内を共通の端子収容室１１にすることが考えられている。このようにすると、フラットケーブル３にトリミングスリット９を設ける必要がなくなり、トリミングスリット９による問題点をなくすことができる。
【００１１】
【発明が解決しようとする課題】
しかしながら、コネクタハウジング１０の仕切り壁１４をなくして、コネクタハウジング１０内を共通の端子収容室１１にすると、高湿度環境下でこのコネクタ付きフラットケーブルが使用された場合、所謂デンドライトと呼ばれる針状結晶が隣接するフラットケーブル接続端子４間で成長し、電流がリークするという問題点を避けることができなかった。
【００１２】
本発明の目的は、コネクタハウジング内を複数のフラットケーブル接続端子を相互間に間隔をあけて並設できる端子収容室にしても、隣接するフラットケーブル接続端子間にリーク電流が流れるのを回避できるフラットケーブル用リテーナ付きコネクタハウジング及びこれを用いたコネクタ付きフラットケーブルを提供することにある。
【００１３】
【課題を解決するための手段】
本発明に係るフラットケーブル用リテーナ付きコネクタハウジングは、
コネクタハウジング内に複数のフラットケーブル接続端子を相互間に間隔をあけて並設できる端子収容室が形成され、
コネクタハウジングの内面にハウジング隔壁が端子収容室に対する出入り方向に沿って突設され、
コネクタハウジング内にはその後部挿入口からリテーナが挿入されて該コネクタハウジングに係止され、
リテーナにはハウジング隔壁に対向する側の面に、該ハウジング隔壁に沿ってリテーナ隔壁が突設されていることを特徴とする。
【００１４】
このような構造のフラットケーブル用リテーナ付きコネクタハウジングでは、各フラットケーブル接続端子を相互間に間隔をあけて並設できる端子収容室を設けているので、フラットケーブルにトリミングスリットを設ける必要がなくなり、トリミングスリットによる問題点をなくすことができる。また、コネクタハウジング内を各フラットケーブル接続端子を相互間に間隔をあけて並設できる端子収容室としても、コネクタハウジングのハウジング隔壁とリテーナのリテーナ隔壁とをフラットケーブルの両面に接触させることができるので、隣接するフラットケーブル接続端子間にリーク電流が流れるのを回避することができる。
【００１５】
本発明は、相互間に間隔をあけて並設されたフラット導体がフラット絶縁被覆で一括被覆されてなるフラットケーブルの端部側に、各フラット導体の位置でこれらフラット導体に個々にフラットケーブル接続端子が接続部で導通接続され、これらフラットケーブル接続端子がコネクタハウジング内にその後部挿入口から収容されて係止手段で係止され、コネクタハウジング内にはその後部挿入口からリテーナが挿入されて該コネクタハウジングに係止されている構造のコネクタ付きフラットケーブルを対象とする。
【００１６】
本発明に係るコネクタ付きフラットケーブルでは、
コネクタハウジング内に複数のフラットケーブル接続端子を相互間に間隔をあけて並設できる端子収容室が形成され、
該端子収容室内には各フラットケーブル接続端子とその接続部が収容され、
コネクタハウジングの内面には、対向して存在しているフラットケーブルの隣接するフラット導体の間で該フラット導体の長手方向に沿ってハウジング隔壁が突設され、
コネクタハウジング内のリテーナにはハウジング隔壁に対向する側の面に、対向して存在しているフラットケーブルの隣接するフラット導体の間で該フラット導体の長手方向に沿ってリテーナ隔壁が突設され、
コネクタハウジング内に存在するフラットケーブルの隣接するフラット導体の間のフラット絶縁被覆の部分の両面にはハウジング隔壁の先端とリテーナ隔壁の先端とが接触されていることを特徴とする。
【００１７】
このような構造のコネクタ付きフラットケーブルでは、各フラットケーブル接続端子を相互間に間隔をあけて並設できる端子収容室が設けられているので、フラットケーブルにトリミングスリットを設ける必要がなくなり、トリミングスリットによる問題点をなくすことができる。
【００１８】
また、コネクタハウジング内を各フラットケーブル接続端子を相互間に間隔をあけて並設できる端子収容室としても、コネクタハウジングの内面のハウジング隔壁とリテーナのリテーナ隔壁とがフラットケーブルの隣接するフラット導体の間のフラット絶縁被覆の部分の両面に接触されているので、隣接するフラットケーブル接続端子間にリーク電流が流れるのを回避することができる。
【００１９】
【発明の実施の形態】
図１乃至図３は本発明に係るフラットケーブル用リテーナ付きコネクタハウジング及びこれを用いたコネクタ付きフラットケーブルの実施の形態の一例を示したもので、図１は本例のフラットケーブル用リテーナ付きコネクタハウジングに端子付きフラットケーブルを挿入する前の斜視図、図２は本例のコネクタ付きフラットケーブルの縦断面図、図３は図２のＡ−Ａ線断面図である。
【００２０】
本例のフラットケーブル用リテーナ付きコネクタハウジングは、コネクタハウジング１０内に複数のフラットケーブル接続端子４を相互間に間隔をあけて並設できる共通の端子収容室２３が形成されている。このコネクタハウジング１０の内面に、該端子収容室２３内に挿入されるフラットケーブル３の隣接するフラット導体１の間のフラット絶縁被覆２の部分に対向するようにしてフラット導体１の長手方向に沿わせる向きでハウジング隔壁２４が突設されている。
【００２１】
コネクタハウジング１０内には、その後部挿入口１２からリテーナ１５が挿入されている。このリテーナ１５は、その側面に突設されている係止突起２５をコネクタハウジング１０の係止窓２６に係止されて抜止めされている。また、リテーナ１５には、ハウジング隔壁２４に対向する側の面に、ハウジング隔壁２４に沿ってリテーナ隔壁２７が突設されている。
【００２２】
次に、本例のコネクタ付きフラットケーブルの構成につき説明する。
【００２３】
コネクタハウジング１０内には、複数のフラットケーブル接続端子４を相互間に間隔をあけて並設できる共通の端子収容室２３が形成されている。この端子収容室２３内には、フラットケーブル３の各フラット導体１に接続部８で接続された各フラットケーブル接続端子４が接続部８と共に収容されている。この状態で、各フラットケーブル接続端子４は、相互の段部よりなる係止手段１３にてコネクタハウジング１０に係止されている。
【００２４】
コネクタハウジング１０の内面には、対向して存在しているフラットケーブル３の隣接するフラット導体１の間で該フラット導体１の長手方向に沿ってハウジング隔壁２４が突設されている。
【００２５】
コネクタハウジング１０内には、リテーナ１５が挿入されている。このリテーナ１５は、その側面に突設されている係止突起２５をコネクタハウジング１０の係止窓２６に係止されて抜止めされている。また、リテーナ１５には、ハウジング隔壁２４に対向する側の面に、ハウジング隔壁２４に沿ってリテーナ隔壁２７が突設されている。
【００２６】
コネクタハウジング１０内に存在するフラットケーブル３の隣接するフラット導体１の間のフラット絶縁被覆２の部分の両面には、ハウジング隔壁２４の先端とリテーナ隔壁２７の先端とが加圧状態で接触されている。
【００２７】
図４は、本例のフラットケーブル用リテーナ付きコネクタハウジング及びこれを用いたコネクタ付きフラットケーブルとの性能比較のために、コネクタハウジング１０内にはハウジング隔壁２４を設けたが、リテーナ１５のリテーナ隔壁２７は省略した図２のＡ−Ａ線断面図に相当する比較例のコネクタ付きフラットケーブルの横断面図である。
【００２８】
図５は、図１乃至図３に示した本例のコネクタ付きフラットケーブルと、図４に示した比較例のコネクタ付きフラットケーブルとの、リーク電流性能を比較するためのマイグレーション試験の結果を示す特性図である。ここで、Ａは図４に示す比較例の構造のコネクタ付きフラットケーブルのサイクル数に対するリーク電流の特性線、Ｂは図３に示す本例の構造のコネクタ付きフラットケーブルのサイクル数に対するリーク電流の特性線、Ｃは車載コネクタのリーク電流実用規格値である。
【００２９】
本試験のサンプルは、厚さ０．１５ｍｍ，幅２．５　ｍｍの２芯のフラット導体１を絶縁厚さ０．０９ｍｍのポリエチレンテレフタレートフィルムよりなるフラット絶縁被覆２で一括被覆したフラットケーブル３を用い、このフラットケーブル３の各フラット導体１に各フラットケーブル接続端子４を接続部８で接続し、これらフラットケーブル接続端子４を接続部８と共に共通の端子収容室２３内に並設し、本例では隔壁高さｈ２４＝０．７５ｍｍのハウジング隔壁２４と、隔壁高さｈ２７＝０．７５ｍｍのリテーナ隔壁２７とで、絶縁厚さｈ２　＝０．１８ｍｍのフラット絶縁被覆２の部分を挟持し、比較例では隔壁高さｈ２４＝０．７５ｍｍのハウジング隔壁２４のみをフラット絶縁被覆２の部分に接触させたものである。試験条件は、各サンプルを１０秒間水につけ、水から引き上げた後、４０分間自然乾燥することを１サイクルとし、１４±０．１　Ｖの印加電圧を与え、サイクル毎の端子間リーク電流を測定したものである。
【００３０】
この図５から明らかなように、リテーナ１５側を平面としてフラットケーブル３を押圧した図４に示す比較例の構造では、特性線Ａに示すように急激にリーク電流が増大し、試験サンプルに前述した針状結晶が見られたが、これに対しコネクタハウジング１０内にハウジング隔壁２４を設け、リテーナ１５にリテーナ隔壁２７を設けて、フラットケーブル３の隣接するフラット導体１の間のフラット絶縁被覆２の部分の両面に接触させた図３に示す本発明の構造では、特性線Ｂに示すようにリーク電流は微増しているものの、リーク電流実用規格値Ｃ内に十分に収まっている。また、本発明の構造では、３０サイクル後の試験サンプルにも顕著な針状結晶の形跡は見られなかった。
【００３１】
【発明の効果】
本発明に係るフラットケーブル用リテーナ付きコネクタハウジングは、コネクタハウジング内に複数のフラットケーブル接続端子を相互間に間隔をあけて並設できる端子収容室を設けているので、この端子収容室内に挿入するフラットケーブルにはトリミングスリットを設ける必要がなくなり、トリミングスリットによる問題点をなくすことができる。また、端子収容室内に収容されるフラットケーブルの両面は、コネクタハウジングのハウジング隔壁とリテーナのリテーナ隔壁とに接触されるようになっているので、隣接するフラットケーブル接続端子間にリーク電流が流れるのを回避することができる。
【００３２】
また、本発明に係るコネクタ付きフラットケーブルでは、コネクタハウジング内に複数のフラットケーブル接続端子を相互間に間隔をあけて並設できる端子収容室を設けているので、この端子収容室内に挿入するフラットケーブルにはトリミングスリットを設ける必要がなくなり、トリミングスリットによる問題点をなくすことができる。また、端子収容室内に収容されたフラットケーブルの隣接するフラット導体の間のフラット絶縁被覆の部分の両面には、コネクタハウジングのハウジング隔壁とリテーナのリテーナ隔壁とに接触されているので、隣接するフラットケーブル接続端子間にリーク電流が流れるのを回避することができる。
【図面の簡単な説明】
【図１】本発明に係るフラットケーブル用リテーナ付きコネクタハウジング及びこれを用いたコネクタ付きフラットケーブルの実施の形態の一例で、フラットケーブル用リテーナ付きコネクタハウジングに端子付きフラットケーブルを挿入する前の斜視図である。
【図２】この第１例のコネクタ付きフラットケーブルの縦断面図である。
【図３】図２のＡ−Ａ線断面図である。
【図４】比較例のコネクタ付きフラットケーブルの横断面図である。
【図５】本発明のコネクタ付きフラットケーブルと、比較例のコネクタ付きフラットケーブルとの、リーク電流性能を比較するためのマイグレーション試験の結果を示す特性図である。
【図６】フラットケーブルとこれに接続されるフラットケーブル接続端子の接続前の状態を示す斜視図である。
【図７】フラットケーブル接続端子付きフラットケーブルのフラットケーブル接続端子とその接続部をコネクタハウジングに挿入する前の状態を示す斜視図である。
【図８】コネクタ付きフラットケーブルのコネクタ部の縦断面図である。
【符号の説明】
１　フラット導体
２　フラット絶縁被覆
３　フラットケーブル
４　フラットケーブル接続端子
５　嵌め合わせ接続体
６　接続板部
７　クリンプ片
８　接続部
９　トリミングスリット
１０　コネクタハウジング
１１　端子収容室
１２　後部挿入口
１３　係止手段
１４　仕切り壁
１５　リテーナ
１６　ケーブル押え部
１７　スリット
１８　係止片
１９　係止突起
２０　相手端子挿入口
２１　嵌合係止アーム
２２　係止突起
２３　端子収容室
２４　ハウジング隔壁
２５　係止突起
２６　係止窓
２７　リテーナ隔壁
【図１】
2004055344.tif 000003
【図２】
2004055344.tif 000004
【図３】
2004055344.tif 000005
【図４】
2004055344.tif 000006
【図５】
2004055344.tif 000007
【図６】
2004055344.tif 000008
【図７】
2004055344.tif 000009
【図８】
2004055344.tif 000010